(57)【要約】【課題】一方のトラック上のピットにより、内周側又は外周側に隣接する他方のトラックのアドレスを示す構造の記録層を複数備えた光ディスクから、正しくアドレスを再生することが可能な光ディスク装置を提供すること。【解決手段】第１及び第２トラックが内外周方向に向かって交互に形成された第１及び第２層を備えた光ディスクを処理する光ディスク装置は、第１層の第１トラック及び第２層の第２トラックにアドレスを示すピットが記録され、第１層の第２トラック及び第２層の第１トラックにマークの記録が可能な光ディスクからの反射光を検出する検出手段と、ピットの極性を示すピット極性情報及び第１及び第２層を識別するための記録層識別情報に基づき第１及び第２層のピットの検出方式を決定する決定手段と、決定された検出方式により第１及び第２層のピットからアドレスを再生する再生手段とを備えている。【選択図】      図６
2006236523.tif 000002
【特許請求の範囲】
【請求項１】
第１及び第２のトラックが内外周方向に向かって交互に形成された第１及び第２の記録層を備えた光ディスクであって、
前記第１の記録層の前記第１のトラックは、前記第１の記録層の前記第１のトラックの内周側に隣接する前記第１の記録層の前記第２のトラックのアドレスを示すピットを備え、
前記第２の記録層の前記第２のトラックは、前記第２の記録層の前記第２のトラックの内周側に隣接する前記第２の記録層の前記第１のトラックのアドレスを示すピットを備え、
前記第１の記録層の前記第２のトラック及び前記第２の記録層の前記第１のトラックは、各種データを示すマークの記録が可能なトラックであり、
前記第１の記録層の前記第１のトラックの前記ピットが、前記第１の記録層の前記第１のトラックの内周側に隣接する前記第１の記録層の前記第２のトラックのアドレスを示すピットであり、前記第２の記録層の前記第２のトラックの前記ピットが、前記第２の記録層の前記第２のトラックの内周側に隣接する前記第２の記録層の前記第１のトラックのアドレスを示すピットであることを示すピット極性情報を記録した第１の領域と、
前記第１及び第２の記録層を識別するための記録層識別情報を記録した第２の領域と、
を備えたことを特徴とする光ディスク。
【請求項２】
第１及び第２のトラックが内外周方向に向かって交互に形成された第１及び第２の記録層を備えた光ディスクであって、
前記第１の記録層の前記第１のトラックは、前記第１の記録層の前記第１のトラックの内周側に隣接する前記第１の記録層の前記第２のトラックのアドレスを示すピットを備え、
前記第２の記録層の前記第２のトラックは、前記第２の記録層の前記第２のトラックの外周側に隣接する前記第２の記録層の前記第１のトラックのアドレスを示すピットを備え、
前記第１の記録層の前記第２のトラック及び前記第２の記録層の前記第１のトラックは、各種データを示すマークの記録が可能なトラックであり、
前記第１の記録層の前記第１のトラックの前記ピットが、前記第１の記録層の前記第１のトラックの内周側に隣接する前記第１の記録層の前記第２のトラックのアドレスを示すピットであり、前記第２の記録層の前記第２のトラックの前記ピットが、前記第２の記録層の前記第２のトラックの外周側に隣接する前記第２の記録層の前記第１のトラックのアドレスを示すピットであることを示すピット極性情報を記録した第１の領域と、
前記第１及び第２の記録層を識別するための記録層識別情報を記録した第２の領域と、
を備えたことを特徴とする光ディスク。
【請求項３】
前記第１のトラックは、ランドトラックであり、
前記第２のトラックは、グルーブトラックである、
ことを特徴とする請求項１又は２に記載の光ディスク。
【請求項４】
第１及び第２のトラックが内外周方向に向かって交互に形成された第１及び第２の記録層を備えた光ディスクを処理する光ディスク装置であって、
第１の記録層の前記第１のトラックにアドレスを示すピットが記録され、第２の記録層の前記第２のトラックにアドレスを示すピットが記録され、前記第１の記録層の前記第２のトラック及び前記第２の記録層の前記第１のトラックに各種データを示すマークの記録が可能な光ディスクからの反射光を検出する検出手段と、
前記検出手段により検出された反射光に反映された情報に含まれる前記ピットの極性を示すピット極性情報、及び前記第１及び第２の記録層を識別するための記録層識別情報に基づき第１及び第２の記録層の前記ピットの検出方式を決定する決定手段と、
前記決定手段により決定された検出方式により前記第１及び第２の記録層の前記ピットからアドレスを再生する再生手段と、
を備えたことを特徴とする光ディスク装置。
【請求項５】
前記再生手段は、
前記第１の記録層の前記第２のトラックの外周側に隣接する前記第１の記録層の前記第１のトラックの前記ピット、及び前記第２の記録層の前記第１のトラックの外周側に隣接する前記第２の記録層の前記第２のトラックの前記ピットを再生する第１の再生手段と、
前記第１の記録層の前記第２のトラックの内周側に隣接する前記第１の記録層の前記第１のトラックの前記ピット、及び前記第２の記録層の前記第１のトラックの内周側に隣接する前記第２の記録層の前記第２のトラックの前記ピットを再生する第２の再生手段と、
を備え、
前記再生手段は、
前記極性情報が示す前記第１及び第２の記録層の前記ピットの極性が同極であるとの情報に基づき、前記第１の記録層において前記第２のトラックの外周側に隣接する前記第１の記録層の前記第１のトラックの前記ピットを再生し、前記第２の記録層において前記第１のトラックの外周側に隣接する前記第２の記録層の前記第２のトラックの前記ピットを再生することを特徴とする請求項４に記載の光ディスク装置。
【請求項６】
前記再生手段は、
前記第１の記録層の前記第２のトラックの外周側に隣接する前記第１の記録層の前記第１のトラックの前記ピット、及び前記第２の記録層の前記第１のトラックの外周側に隣接する前記第２の記録層の前記第２のトラックの前記ピットを再生する第１の再生手段と、
前記第１の記録層の前記第２のトラックの内周側に隣接する前記第１の記録層の前記第１のトラックの前記ピット、及び前記第２の記録層の前記第１のトラックの内周側に隣接する前記第２の記録層の前記第２のトラックの前記ピットを再生する第２の再生手段と、
を備え、
前記再生手段は、
前記極性情報が示す前記第１及び第２の記録層の前記ピットの極性が異極であるとの情報に基づき、前記第１の記録層において前記第２のトラックの外周側に隣接する前記第１の記録層の前記第１のトラックの前記ピットを再生し、前記第２の記録層において前記第１のトラックの内周側に隣接する前記第２の記録層の前記第２のトラックの前記ピットを再生することを特徴とする請求項４に記載の光ディスク装置。
【請求項７】
前記第１のトラックは、ランドトラックであり、
前記第２のトラックは、グルーブトラックである、
ことを特徴とする請求項４に記載の光ディスク装置。
【請求項８】
第１及び第２のトラックが内外周方向に向かって交互に形成された第１及び第２の記録層を備えた光ディスクを処理する光ディスク処理方法であって、
第１の記録層の前記第１のトラックにアドレスを示すピットが記録され、第２の記録層の前記第２のトラックにアドレスを示すピットが記録され、前記第１の記録層の前記第２のトラック及び前記第２の記録層の前記第１のトラックに各種データを示すマークの記録が可能な光ディスクからの反射光を検出し、
前記検出された反射光に反映された情報に含まれる前記ピットの極性を示すピット極性情報、及び前記第１及び第２の記録層を識別するための記録層識別情報に基づき第１及び第２の記録層の前記ピットの検出方式を決定し、決定された検出方式により前記第１及び第２の記録層の前記ピットからアドレスを再生する、
ことを特徴とする光ディスク処理方法。
【請求項９】
前記極性情報が示す前記第１及び第２の記録層の前記ピットの極性が同極であるとの情報に基づき、前記第１の記録層において前記第２のトラックの外周側に隣接する前記第１の記録層の前記第１のトラックの前記ピットを再生し、前記第２の記録層において前記第１のトラックの外周側に隣接する前記第２の記録層の前記第２のトラックの前記ピットを再生することを特徴とする請求項８に記載の光ディスク処理方法。
【請求項１０】
前記極性情報が示す前記第１及び第２の記録層の前記ピットの極性が異極であるとの情報に基づき、前記第１の記録層において前記第２のトラックの外周側に隣接する前記第１の記録層の前記第１のトラックの前記ピットを再生し、前記第２の記録層において前記第１のトラックの内周側に隣接する前記第２の記録層の前記第２のトラックの前記ピットを再生することを特徴とする請求項８に記載の光ディスク処理方法。
【請求項１１】
前記第１のトラックは、ランドトラックであり、
前記第２のトラックは、グルーブトラックである、
ことを特徴とする請求項８に記載の光ディスク処理方法。
【発明の詳細な説明】
【技術分野】
【０００１】
本発明は、ＤＶＤ−Ｒ、ＤＶＤ−ＲＷなどの光ディスクに関する。また、本発明は、このような光ディスクを処理する光ディスク装置及び光ディスク処理方法に関する。
【背景技術】
【０００２】
近年、ＤＶＤ−Ｒ、ＤＶＤ−ＲＷなど様々な光ディスクが普及している。これら光ディスクの記録層には、ランドトラックとグルーブトラックが内外周方向に向かって交互に形成されおり、ランドトラックにはグルーブトラックのアドレスを示すランドプリピット（ＬＰＰ）が設けられている。また、大容量化を目指して、複数の記録層を備えた光ディスクに関する研究開発も盛んになっている。
【０００３】
例えば、情報を記録する記録層を複数層備える光ディスクに対して情報の記録再生を行う際に、光ディスクの表面又は裏面のうち、当該記録再生面に近い面から当該フォーカスサーチ動作を開始するサーボ回路を備えるフォーカスサーボ制御方法が提案されている（特許文献１参照）。
【０００４】
また、トラックから得られるウォブル信号にノイズ成分が重畳された場合でも、正確にプリピット信号に基づく情報を得ることができるプリピット情報検出装置に関する技術が提案されている（特許文献２参照）。
【０００５】
さらに、情報トラックの外周方向に隣接したランドトラックから得られるＬＰＰ（ランドプリピット）信号を検出する外周側ＬＰＰ検出手段とは別に、情報トラックの内周方向に隣接したランドトラックから得られるＬＰＰ信号を検出する内周側ＬＰＰ検出手段を設け、外周側ＬＰＰ信号が検出できないときは内周側ＬＰＰ検出手段によりおおよそのアドレス情報を取得する技術が提案されている（特許文献３参照）。
【特許文献１】特開平１０−２８９４５０
【特許文献２】特開平１０−３４０５３６
【特許文献３】特開２００３−３１７２５９
【発明の開示】
【発明が解決しようとする課題】
【０００６】
しかしながら、上記特許文献１、２、３には、複数記録層を備えた光ディスクにおけるＬＰＰ信号の検出技術については何ら開示されていない。
【０００７】
ＤＶＤ−Ｒ、ＲＷ等の光ディスクの試し記録領域は、規格書(DVD-R BOOK, DVD-RW BOOK, DVD-RAM BOOK)で定められている。最近、記録容量を増加させるために多層化した光ディスクに関する研究開発が進められているが、多層化した場合のＬＰＰの検出方法が想定されていないという問題があった。
【０００８】
本発明の目的は、上記課題を解決するためになされたものであり、一方のトラック上のピット（プリピット）により、隣接する他方のトラックのアドレスを示す構造の記録層を複数備え、適切なピット再生が可能な光ディスクを提供することにある。
【０００９】
また、本発明の目的は、一方のトラック上のピット（プリピット）により、隣接する他方のトラックのアドレスを示す構造の記録層を複数備えた光ディスクから、適切にピットを再生することが可能な光ディスク装置及び光ディスク処理方法を提供することにある。
【課題を解決するための手段】
【００１０】
この発明の光ディスク、光ディスク装置、光ディスク処理装置は、以下のように構成されている。
【００１１】
（１）この発明は、第１及び第２のトラック（ランドトラック及びグルーブトラック）が内外周方向に向かって交互に形成された第１及び第２の記録層を備えた光ディスクであって、前記第１の記録層の前記第１のトラック（ランドトラック）は、前記第１の記録層の前記第１のトラックの内周側に隣接する前記第１の記録層の前記第２のトラックのアドレスを示すピットを備え、前記第２の記録層の前記第２のトラック（グルーブトラック（実質的にはランドトラックと考えることもできる、図２参照））は、前記第２の記録層の前記第２のトラックの内周側に隣接する前記第２の記録層の前記第１のトラックのアドレスを示すピットを備え、前記第１の記録層の前記第２のトラック及び前記第２の記録層の前記第１のトラックは、各種データを示すマークの記録が可能なトラックであり、前記第１の記録層の前記第１のトラックの前記ピットが、前記第１の記録層の前記第１のトラックの内周側に隣接する前記第１の記録層の前記第２のトラックのアドレスを示すピットであり、前記第２の記録層の前記第２のトラックの前記ピットが、前記第２の記録層の前記第２のトラックの内周側に隣接する前記第２の記録層の前記第１のトラックのアドレスを示すピットであることを示すピット極性情報を記録した第１の領域と、前記第１及び第２の記録層を識別するための記録層識別情報（第１層か第２層かを示す情報）を記録した第２の領域とを備えたことを特徴とする光ディスクである。
【００１２】
（２）この発明は、第１及び第２のトラック（ランドトラック及びグルーブトラック）が内外周方向に向かって交互に形成された第１及び第２の記録層を備えた光ディスクであって、前記第１の記録層の前記第１のトラック（ランドトラック）は、前記第１の記録層の前記第１のトラックの内周側に隣接する前記第１の記録層の前記第２のトラックのアドレスを示すピットを備え、前記第２の記録層の前記第２のトラック（グルーブトラック（実質的にはランドトラックと考えることもできる、図２参照））は、前記第２の記録層の前記第２のトラックの外周側に隣接する前記第２の記録層の前記第１のトラックのアドレスを示すピットを備え、前記第１の記録層の前記第２のトラック及び前記第２の記録層の前記第１のトラックは、各種データを示すマークの記録が可能なトラックであり、前記第１の記録層の前記第１のトラックの前記ピットが、前記第１の記録層の前記第１のトラックの内周側に隣接する前記第１の記録層の前記第２のトラックのアドレスを示すピットであり、前記第２の記録層の前記第２のトラックの前記ピットが、前記第２の記録層の前記第２のトラックの外周側に隣接する前記第２の記録層の前記第１のトラックのアドレスを示すピットであることを示すピット極性情報を記録した第１の領域と、前記第１及び第２の記録層を識別するための記録層識別情報（第１層か第２層かを示す情報）を記録した第２の領域とを備えたことを特徴とする光ディスクである。
【００１３】
（３）この発明は、第１及び第２のトラック（ランドトラック及びグルーブトラック）が内外周方向に向かって交互に形成された第１及び第２の記録層を備えた光ディスクを処理する光ディスク装置であって、第１の記録層の前記第１のトラック（ランドトラック）にアドレスを示すピットが記録され、第２の記録層の前記第２のトラック（グルーブトラック（実質的にはランドトラックと考えることもできる、図２参照））にアドレスを示すピットが記録され、前記第１の記録層の前記第２のトラック及び前記第２の記録層の前記第１のトラックに各種データを示すマークの記録が可能な光ディスクからの反射光を検出する検出手段と、前記検出手段により検出された反射光に反映された情報に含まれる前記ピットの極性を示すピット極性情報（第１層と第２層は同極性か異極性かを示す情報）、及び前記第１及び第２の記録層を識別するための記録層識別情報（第１層か第２層かを示す情報）に基づき第１及び第２の記録層の前記ピットの検出方式を決定する決定手段と、前記決定手段により決定された検出方式により前記第１及び第２の記録層の前記ピットからアドレスを再生する再生手段とを備えたことを特徴とする光ディスク装置である。
【００１４】
（４）この発明は、第１及び第２のトラック（ランドトラック及びグルーブトラック）が内外周方向に向かって交互に形成された第１及び第２の記録層を備えた光ディスクを処理する光ディスク処理方法であって、第１の記録層の前記第１のトラック（ランドトラック）にアドレスを示すピットが記録され、第２の記録層の前記第２のトラック（グルーブトラック（実質的にはランドトラックと考えることもできる、図２参照））にアドレスを示すピットが記録され、前記第１の記録層の前記第２のトラック及び前記第２の記録層の前記第１のトラックに各種データを示すマークの記録が可能な光ディスクからの反射光を検出し、前記検出された反射光に反映された情報に含まれる前記ピットの極性を示すピット極性情報（第１層と第２層は同極性か異極性かを示す情報）、及び前記第１及び第２の記録層を識別するための記録層識別情報（第１層か第２層かを示す情報）に基づき第１及び第２の記録層の前記ピットの検出方式を決定し、決定された検出方式により前記第１及び第２の記録層の前記ピットからアドレスを再生することを特徴とする光ディスク処理方法である。
【発明の効果】
【００１５】
本発明によれば、一方のトラック上のピット（プリピット）により、隣接する他方のトラックのアドレスを示す構造の記録層を複数備え、適切なピット再生が可能な光ディスクを提供できる。
【００１６】
また、本発明によれば、一方のトラック上のピット（プリピット）により、隣接する他方のトラックのアドレスを示す構造の記録層を複数備えた光ディスクから、適切にピットを再生することが可能な光ディスク装置及び光ディスク処理方法を提供できる。
【発明を実施するための最良の形態】
【００１７】
以下、図面を参照し、本発明の実施形態について説明する。
【００１８】
従来のＤＶＤ−Ｒ、ＲＷなどの光ディスクは１つの記録層を備え、この記録層に対して記録再生が行われていた。最近、記録容量の増加のために記録層の多層化が検討されている。
【００１９】
図１〜図４は、本発明の一例に係る複数の記録層を備えた光ディスクの概略構成を示す図である。図１は、本発明の一例に係る複数の記録層を備えた光ディスクに記録された情報の一例を示す図である。図２は、本発明の一例に係る複数の記録層を備えた光ディスクの断面概略図である。図３は、本発明の一例に係る複数の記録層を備えた光ディスクの第１の記録層の上面図である。図４は、本発明の一例に係る光ディスクの第２の記録層の上面図である。
【００２０】
図１に示すように、光ディスクは、第１の記録層１及び第２の記録層２を備える。さらに、光ディスクは、管理情報記憶領域Ａを備える。例えば、この管理情報記憶領域Ａは、第１の記録層１と第２の記録層２の両者に設けられいる。この管理情報記憶領域Ａは、プリピット極性情報を予め記録した領域Ａ１、及び記録層識別情報を予め記録した領域Ａ２を備える。これらプリピット極性情報及び記録層識別情報の用途については後に詳しく説明する。
【００２１】
図２に示すように、光ディスクは、第１の記録層１及び第２の記録層２を備える。第１の記録層１と第２の記録層２は、別々に生成され、貼り合わされている。よって、第１の記録層１と第２の記録層２では凹凸形状が逆になる。第１の記録層１のランドトラックＬに対向する位置に第２の記録層２のランドトラックＬが配置され、第１の記録層１のグルーブトラックＧに対向する位置に第２の記録層２のグルーブトラックＧが配置される。第１の記録層１と第２の記録層２では凹凸形状が逆になっていることから、例えば、第２の記録層２のランドトラックをグルーブトラックとして考え、また第２の記録層２のグルーブトラックをランドトラックとして考えることもできる。
【００２２】
また、第１の記録層１に対するトラッキング方向は内周側から外周側へ向かうのに対して、第２の記録層２に対するトラッキング方向は外周側から内周側へ向かう。これは、第１の記録層１と第２の記録層２のスパイラルの方向が逆となったＯＴＰ（Opposite Track Path）と呼ばれるタイプの光ディスクだからである。例えば第１の記録層１ではディスクの内側から外側へトラッキングするスパイラルとなっており、第２の記録層２ではディスクの外側から内側へトラッキングするスパイラルとなっている。
【００２３】
続いて、図３及び図４を参照して、第１の記録層１と第２の記録層２においてプリピットが同一極性の光ディスクについて説明する。
【００２４】
図３に示すように、第１の記録層１は、内外周方向に向かって交互に形成された複数のランドトラックＬ及びグルーブトラックＧを備える。第１の記録層１は、ランドトラックＬにプリピットＰを備える。ランドトラックＬのプリピットＰは、このランドトラックＬに隣接する内周側のグルーブトラックＧのアドレスを示す。つまり、グルーブトラックＧから見ると、グルーブトラックＧに隣接する外周側のランドトラックＬ上のプリピットＰが、このグルーブトラックＧのアドレスを示すことになる。グルーブトラックＧは、各種データを示すマークの記録が可能なトラックである。また、各トラックは、所定の周波数でウォブルしており、そのウォブルに同期してプリピットＰが形成されている。
【００２５】
また、図４に示すように、第２の記録層２は、内外周方向に向かって交互に形成されたランドトラックＬ及びグルーブトラックＧを備える。第２の記録層２は、グルーブトラックＧにプリピットＰを備える。グルーブトラックＧのプリピットＰは、このグルーブトラックＧに隣接する内周側のランドトラックＬのアドレスを示す。つまり、ランドトラックＬから見ると、ランドトラックＬに隣接する外周側のグルーブトラックＧ上のプリピットＰが、このランドトラックＬのアドレスを示すことになる。ランドトラックＬは、各種データを示すマークの記録が可能なトラックである。また、各トラックは、所定の周波数でウォブルしており、そのウォブルに同期してプリピットＰが形成されている。
【００２６】
つまり、第１の記録層１と第２の記録層２においてプリピットが同一極性の光ディスクでは、各記録層のプリピットＰは、このプリピットＰを持つトラックに隣接する内周側のトラックのアドレスを示す。つまり、プリピットＰを持たないトラックから見ると、プリピットＰを持たないトラックに隣接する外周側のトラック上のプリピットＰは、このプリピットＰを持たないトラックのアドレスを示している。
【００２７】
なお、上記説明とは逆の光ディスクであってもよい。つまり、第１の記録層１と第２の記録層２においてプリピットが同一極性の光ディスクでは、各記録層のプリピットＰは、このプリピットＰを持つトラックに隣接する外周側のトラックのアドレスを示してもよい。つまり、プリピットＰを持たないトラックから見ると、プリピットＰを持たないトラックに隣接する内周側のトラック上のプリピットＰが、このプリピットＰを持たないトラックのアドレスを示してもよい。
【００２８】
続いて、第１の記録層１と第２の記録層２においてプリピットが異極性（逆極性）の光ディスクについて説明する。
【００２９】
図３に示すように、第１の記録層１は、内外周方向に向かって交互に形成された複数のランドトラックＬ及びグルーブトラックＧを備える。第１の記録層１は、ランドトラックＬにプリピットＰを備える。ランドトラックＬのプリピットＰは、このランドトラックＬに隣接する内周側のグルーブトラックＧのアドレスを示す。つまり、グルーブトラックＧから見ると、グルーブトラックＧに隣接する外周側のランドトラックＬ上のプリピットＰが、このグルーブトラックＧのアドレスを示すことになる。
【００３０】
また、図４に示すように、第２の記録層２は、内外周方向に向かって交互に形成されたランドトラックＬ及びグルーブトラックＧを備える。第２の記録層２は、グルーブトラックＧにプリピットＰを備える。グルーブトラックＧのプリピットＰは、このグルーブトラックＧに隣接する外周側のランドトラックＬのアドレスを示す。つまり、ランドトラックＬから見ると、ランドトラックＬに隣接する内周側のグルーブトラックＧ上のプリピットＰが、このランドトラックＬのアドレスを示すことになる。
【００３１】
つまり、第１の記録層１と第２の記録層２においてプリピットが異極性の光ディスクでは、第１の記録層１のプリピットＰが、このプリピットＰを持つトラックに隣接する内周側のトラックのアドレスを示すのに対して、第２の記録層２のプリピットＰが、このプリピットＰを持つトラックに隣接する外周側のトラックのアドレスを示す。つまり、プリピットＰを持たないトラックから見ると、第１の記録層１のプリピットＰを持たないトラックに隣接する外周側のトラック上のプリピットＰは、このプリピットＰを持たないトラックのアドレスを示し、第２の記録層２のプリピットＰを持たないトラックに隣接する内周側のトラック上のプリピットＰは、このプリピットＰを持たないトラックのアドレスを示す。
【００３２】
なお、上記説明とは逆の光ディスクであってもよい。つまり、第１の記録層１と第２の記録層２においてプリピットが異極性の光ディスクでは、第１の記録層１のプリピットＰは、このプリピットＰを持つトラックに隣接する外周側のトラックのアドレスを示し、第２の記録層２のプリピットＰは、このプリピットＰを持つトラックに隣接する内周側のトラックのアドレスを示してもよい。つまり、プリピットＰを持たないトラックから見ると、第１の記録層１のプリピットＰを持たないトラックに隣接する内周側のトラック上のプリピットＰが、このプリピットＰを持たないトラックのアドレスを示し、第２の記録層２のプリピットＰを持たないトラックに隣接する外周側のトラック上のプリピットＰが、このプリピットＰを持たないトラックのアドレスを示してもよい。
【００３３】
以上説明した第１の記録層１と第２の記録層２においてプリピットが同一極性の光ディスクは、プリピットが同一極性である旨を示すプリピット極性情報を持つ。つまり、第１の記録層１と第２の記録層２においてプリピットが同一極性の光ディスクの領域Ａ１には、第１の記録層１及び第２の記録層２上のプリピットが同一極性（常にプリピットは、このプリピットが配置されたトラックに隣接する外周側（又は内周側）のトラックのアドレスを示す）である旨を示すプリピット極性情報が記録される。
【００３４】
これに対して、第１の記録層１と第２の記録層２においてプリピットが異極性の光ディスクは、プリピットが異極性である旨を示すプリピット極性情報を持つ。つまり、第１の記録層１と第２の記録層２においてプリピットが異極性の光ディスクの領域Ａ１には、第１の記録層１及び第２の記録層２上のプリピットが異極性（第１の記録層のプリピットは、このプリピットが配置されたトラックに隣接する外周側（又は内周側）のトラックのアドレスを示し、第２の記録層のプリピットは、このプリピットが配置されたトラックに隣接する内周側（又は外周側）のトラックのアドレスを示す）である旨を示すプリピット極性情報が記録される。
【００３５】
また、同一極性の光ディスク及び異極性の光ディスクの第１の記録層１上の領域Ａ２には、第１の記録層であることを示す記録層識別情報が記録される。同様に、同一極性の光ディスク及び異極性の光ディスクの第２の記録層２上の領域Ａ２には、第２の記録層であることを示す記録層識別情報が記録される。
【００３６】
以上により、上記光ディスクを処理する光ディスク装置は、領域Ａ１に記録されたプリピット極性情報を取得することにより、処理対象の光ディスクが同一極性の光ディスクなのか、異極性の光ディスクなのかを検出することができる。また、上記光ディスクを処理する光ディスク装置は、領域Ａ２に記録された記録層識別情報を取得することにより、処理対象の光ディスクの記録層が第１の記録層１なのか、第２の記録層２なのかを検出することができる。
【００３７】
次に、図５〜図７を参照して、本発明の一例に係る光ディスク装置の概略構成について説明する。図５は、本発明の一例に係る光ディスク装置の概略構成を示す図である。図６は、図５に示す光ディスク装置の光検出器を構成する４分割フォトディテクタの一例を示す図である。図７は、図５に示す光ディスク装置の信号処理回路の一例を示す図である。この光ディスク装置は、上記説明した光ディスクに情報を記録したり、この光ディスクに記録された情報を再生したりする。
【００３８】
図５に示すように、光ディスク装置は、光ピックアップ１０、変調回路２１、記録再生制御部２２、レーザ制御回路２３、信号処理回路２４、復調回路２５、アクチュエータ２６、フォーカ制御回路３２、トラッキング制御回路３４、制御部３５を備えている。
【００３９】
また、光ピックアップ１０は、レーザ１１、コリメートレンズ１２、偏光ビームスプリッタ（以下ＰＢＳ）１３、４分の１波長板１４、対物レンズ１５、集光レンズ１６、光検出器１７を備えている。
【００４０】
まず、この光ディスク装置による光ディスクに対する情報の記録について説明する。変調回路２１は、所定の変調方式に従って制御部３５から提供される記録情報（データシンボル）をチャネルビット系列に変調する。記録情報に対応したチャネルビット系列は、記録再生制御部２２に入力される。さらに、この記録再生制御部２２には、制御部３５からの記録再生指示（この場合、記録指示）が入力される。記録再生制御部２２は、アクチュエータ２６に制御信号を出力し、目的の記録位置に光ビームが適切に集光されるように光ピックアップを駆動させる。さらに、記録再生制御部２２は、チャネルビット系列をレーザ制御回路２３に供給する。レーザ制御回路２３は、チャネルビット系列をレーザ駆動波形に変換し、レーザ１１を駆動させる。つまり、レーザ制御回路２３は、レーザ１１をパルス駆動させる。これに伴い、レーザ１１は、所望のビット系列に対応した記録用の光ビームを照射する。レーザ１１から照射された記録用の光ビームは、コリメートレンズ１２で平行光となり、ＰＢＳ１３に入射し、透過する。ＰＢＳ１３を透過したビームは、４分の１波長板１４を透過し、対物レンズ１５により光ディスクの情報記録面（第１の記録層１又は第２の記録層２）に集光される。集光された記録用の光ビームは、フォーカス制御回路３２並びにアクチュエータ２６によるフォーカス制御、及びにトラッキング制御回路３４並びにアクチュエータ２６によるトラッキング制御により、記録面上に最良の微小スポットが得られる状態で維持される。
【００４１】
続いて、この光ディスク装置による光ディスクからの情報の再生について説明する。記録再生制御部２２には、制御部３５からの記録再生指示（この場合、再生指示）が入力される。記録再生制御部２２は、制御部３５からの再生指示に従い、レーザ制御回路２３に再生制御信号を出力する。レーザ制御回路２３は、再生制御信号に基づきレーザ１１を駆動させる。これに伴いレーザ１１は、再生用の光ビームを照射する。レーザ１１から照射された再生用の光ビームは、コリメートレンズ１２で平行光となり、ＰＢＳ１３に入射し、透過する。ＰＢＳ１３を透過した光ビームは４分の１波長板１４を透過し、対物レンズ１５により光ディスクの情報記録面に集光される。集光された再生用の光ビームは、フォーカス制御回路３２並びにアクチュエータ２６によるフォーカス制御、及びトラッキング制御回路３４並びにアクチュエータ２６によるトラッキング制御により、記録面上に最良の微小スポットが得られる状態で維持される。このとき、光ディスク上に照射された再生用の光ビームは、情報記録面内の反射膜あるいは反射性記録膜により反射される。反射光は対物レンズ１５を逆方向に透過し、再度平行光となる。反射光は４分の１波長板１４を透過し、入射光に対して垂直な偏光を持ち、ＰＢＳ１３では反射される。ＰＢＳ１３で反射されたビームは集光レンズ１６により収束光となり、光検出器１７に入射される。光検出器１７は、例えば、４分割のフォトディテクタから構成されている。光検出器１７に入射した光束は光電変換されて電気信号となり増幅される。増幅された信号は信号処理回路２４にて等化され２値化され、復調回路２５に送られる。復調回路２５では所定変調方式に対応した復調動作が施されて、再生データが出力される。
【００４２】
また、光検出器１７から出力される電気信号の一部に基づき、フォーカスエラー信号が生成される。同様に、光検出器１７から出力される電気信号の一部に基づき、トラッキングエラー信号が生成される。フォーカス制御回路３２は、フォーカスエラー信号に基づきアクチュエータ２８を制御し、ビームスポットのフォーカスを制御する。トラッキング制御回路３４は、トラッキングエラー信号に基づきアクチュエータ２８を制御し、ビームスポットのトラッキングを制御する。
【００４３】
図６に示すように、光検出器１７を構成する４分割フォトディテクタは、信号Ｉａ、Ｉｂ、Ｉｃ、Ｉｄを出力する。信号Ｉａ、Ｉｂは、信号Ｉｃ、Ｉｄに対してトラックの内周側から得られた信号である。
【００４４】
図７に示すように、信号処理回路２４は、例えば直流結合増幅器Ｈ１、Ｈ２、Ｈ３、Ｈ４、極性反転器ＩＶを備えている。信号処理回路２４は、これら直流結合増幅器Ｈ１、Ｈ２、Ｈ３、Ｈ４により、信号Ｉａ、Ｉｂの和信号Ｉ１（＝Ｉａ＋Ｉｂ）と、信号Ｉｃ、Ｉｄの和信号Ｉ２（＝Ｉｃ＋Ｉｄ）を演算する。また、これら和信号Ｉ１と和信号Ｉ２との和信号Ｓ１（＝Ｉ１＋Ｉ２）を演算する。さらに、これら和信号Ｉ１と和信号Ｉ２との差信号Ｓ２（＝Ｉ１−Ｉ２）を演算する。さらに、極性反転器ＩＶにより、差信号Ｓ２を反転した差信号Ｓ３を演算する。
【００４５】
差信号Ｓ２は、第１の記録層のグルーブトラックＧの外周側に隣接する第１の記録層のランドトラックＬのプリピットから得られる信号である。或いは、差信号Ｓ２は、第２の記録層のランドトラックＬの外周側に隣接する第２の記録層のグルーブトラックＧのプリピットから得られる信号である。
【００４６】
また、差信号Ｓ３は、第１の記録層のグルーブトラックＧの内周側に隣接する第１の記録層のランドトラックＬのプリピットから得られる信号である。或いは、差信号Ｓ３は、第２の記録層のランドトラックＬの内周側に隣接する第２の記録層のグルーブトラックＧのプリピットから得られる信号である。
【００４７】
光ディスク装置は、光ディスクの領域Ａ１から得られるプリピット極性情報、及び領域Ａ２から得られる記録層識別情報に基づき、この差信号Ｓ２、Ｓ３のうちのどちらか一方の差信号を選択し、選択した差信号によりプリピットを再生する。つまり、光ディスク装置は、プリピット極性情報及び記録層識別情報に基づき、第１及び第２の記録層のプリピットの検出方式を決定し、決定された検出方式により第１及び第２の記録層のプリピットからアドレスを再生する。
【００４８】
図８は、光ディスク装置の選択により得られる差信号（プリピット信号）の一例を示す図である。トラックに反映されたウォブルのほぼボトム位置にプリピット信号が現れている。
【００４９】
図９は、上記説明した光ディスク装置による差信号の選択処理について説明するフローチャートである。
【００５０】
光ディスク装置は、光ディスクに対して光ビームを照射し、光ディスクからの反射光を検出し、反射光に反映された各種情報を読み取る。例えば、光ディスク装置は、光ディスクの管理情報記憶領域Ａから管理情報を読み取る（ＳＴ１）。光ディスク装置の制御部３５は、この管理情報に含まれるメディアＩＤに基づき、処理対象の光ディスクの種別等について判定する。処理対象の光ディスクが、ＤＶＤ−Ｒ又はＤＶＤ−ＲＷで、且つ複数の記録層（この実施形態では２つの記録層）のＯＴＰタイプに該当する場合に（ＳＴ２、ＹＥＳ）、差信号の選択処理が実行される。
【００５１】
光ディスク装置の制御部３５は、処理対象の光ディスクに対して差信号の選択処理が必要であると判断すると（ＳＴ２、ＹＥＳ）、管理情報に含まれるプリピット極性情報に基づき、処理対象の光ディスクの第１及び第２の記録層のプリピットが同極性であるか異極性であるかを判断する（ＳＴ３）。
【００５２】
光ディスク装置の制御部３５が、処理対象の光ディスクの第１及び第２の記録層のプリピットが同極性であると判断すると（ＳＴ３、ＹＥＳ）、差信号Ｓ２を選択し（ＳＴ５）、この差信号Ｓ２に基づきプリピットが検出され再生される（ＳＴ７）。光ディスク装置の制御部３５が、処理対象の光ディスクの第１及び第２の記録層のプリピットが異極性であると判断すると（ＳＴ３、ＮＯ）、管理情報に含まれる記録層識別情報に基づき、第１の記録層と第２の記録層のどちらに対する処理かを判断する（ＳＴ４）。光ディスク装置の制御部３５が、第１の記録層に対する処理であると判断すると（ＳＴ４、ＮＯ）、差信号Ｓ２を選択し（ＳＴ５）、この差信号Ｓ２に基づきプリピットが検出され再生される（ＳＴ７）。光ディスク装置の制御部３５が、第２の記録層に対する処理であると判断すると（ＳＴ４、ＹＥＳ）、差信号Ｓ３を選択し（ＳＴ６）、この差信号Ｓ３に基づきプリピットが検出され再生される（ＳＴ７）。
【００５３】
本実施形態が処理の対象としている光ディスクでは、第１の記録層１のトラックがディスクの内側から外側へトラッキングするスパイラルとなっており、第２の記録層２のトラックがディスクの外側から内側へトラッキングするスパイラルとなっている。同極性の光ディスクの第１の記録層１では、グルーブトラックＧのアドレスはこのグルーブトラックＧの外側のランドトラックＬのプリピットから得られ、第２の記録層２でも、ランドトラックＬのアドレスはこのランドトラックＬの外側のグルーブトラックＧのプリピットから得られる。これに対して、異極性の光ディスクの第１の記録層１では、グルーブトラックＧのアドレスはこのグルーブトラックＧの外側のランドトラックＬのプリピットから得られ、第２の記録層２では、ランドトラックＬのアドレスはこのランドトラックＬの内側のグルーブトラックＧのプリピットから得られる。
【００５４】
本発明の光ディスク装置は、上記した光ディスクから得られるピット極性情報及び記録層識別情報に基づき、プリピットの検出方式を切り換える。これにより、上記した同極性の光ディスク及び異極性の光ディスクの両者から、正しいプリピット信号を得ることができ、正しいアドレスを得ることができる。
【００５５】
なお、上記実施形態では、直流結合増幅器Ｈ４からの出力を極性反転器ＩＶにより極性反転させるケースについて説明したが、本発明はこれだけに限定されるものではない。例えば、直流結合増幅器Ｈ４への入力信号の極性を切り換えスイッチにより切り換えるようにしてもよい。
【００５６】
なお、上記実施形態では、目的のトラックの内周側のトラック上のプリピットをアドレスとして再生するのか、目的のトラックの外周側のトラック上のプリピットをアドレスとして再生するのかを選択するプリピット検出方式について説明したが、本発明はプリピットの検出方式だけに限定されるものではない。例えば、近年規格の策定が進んでいるＨＤ−ＤＶＤ（ＨＤ−ＤＶＤ−Ｒ、ＨＤ−ＤＶＤ−ＲＷ）では、プリピットの替わりにトラックウォブルが利用される。このトラックウォブルには、位相変調を利用してアドレスが反映されている。つまり、本発明は、目的のトラックの内周側のトラックウォブルをアドレスとして再生するのか、目的のトラックの外周側のトラックウォブルをアドレスとして再生するのかを選択するトラックウォブル検出方式として適用することも可能である。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５８】
【図１】本発明の一例に係る複数の記録層を備えた光ディスクの概略構成を示す図である。
【図２】本発明の一例に係る複数の記録層を備えた光ディスクの断面概略図である。
【図３】本発明の一例に係る複数の記録層を備えた光ディスクの第１の記録層の上面図である。
【図４】本発明の一例に係る光ディスクの第２の記録層の上面図である。
【図５】本発明の一例に係る光ディスク装置の概略構成を示す図である。
【図６】図５に示す光ディスク装置の光検出器を構成する４分割フォトディテクタの一例を示す図である。
【図７】図５に示す光ディスク装置の信号処理回路の一例を示す図である。
【図８】図５に示す光ディスク装置の選択により得られる差信号（プリピット信号）の一例を示す図である。
【図９】図５に示す光ディスク装置による差信号の選択処理（ピット検出方式）について説明するフローチャートである。
【符号の説明】
【００５９】
１…第１の記録層、２…第２の記録層、１０…光ピックアップ、１１…レーザ、１２…コリメートレンズ、１３…偏光ビームスプリッタ（ＰＢＳ）、１４…４分の１波長板、１５…対物レンズ、１６…集光レンズ、１７…光検出器、２１…変調回路、２２…記録再生制御部、２３…レーザ制御回路、２４…信号処理回路、２５…復調回路、２６…アクチュエータ、３２…フォーカ制御回路、３４…トラッキング制御回路、３５…制御部、Ａ…管理情報記憶領域、Ａ１…領域（プリピット極性情報）、Ａ２…領域（記録層識別情報）、Ｌ…ランドトラック、Ｇ…グルーブトラック、Ｐ…プリピット
【図１】
2006236523.tif 000003
【図２】
2006236523.tif 000004
【図３】
2006236523.tif 000005
【図４】
2006236523.tif 000006
【図５】
2006236523.tif 000007
【図６】
2006236523.tif 000008
【図７】
2006236523.tif 000009
【図８】
2006236523.tif 000010
【図９】
2006236523.tif 000011